(57)【要約】      （修正有）【課題】突合せタイプ及び挟み込みタイプのいずれの灯器具に対しても支障なく使用できる直管型ＬＥＤランプ用スイッチ装置を提供する。【解決手段】ハウジング１の一面から突出し、灯器具のソケットと摺動可能な摺動面２ｄが設けられた操作体２を、一対の第１端子３間とは異なる領域に設けた収容部１ｃに摺動可能に収容し、操作体２がソケットにより押圧操作される事より、第１端子３と第２端子とが導通する構成とした。これにより、スイッチ装置１００を用いた直管型ＬＥＤランプを挟み込み型のソケットに挿入する時に、ソケットが操作体２の摺動面２ｄと当接しながら摺動する事により操作体２がソケットにより押下されるので、挟み込み型のソケットにスイッチ装置１００を支障なく組み込む事でき、突合せタイプ及び挟み込みタイプのいずれの灯器具に対しても使用できる。【選択図】図２
0003184246.tif 000002
【実用新案登録請求の範囲】
【請求項１】
開口部を有するハウジングと、
前記ハウジングの一面から一方向に突出すると共に灯器具のソケットに取り付けられる一対の第１端子と、
前記開口部から前記一方向に突出すると共に前記ハウジング内への押圧操作を受け付け可能な操作部を有する操作体と、
前記第１端子との導通状態が切り替えられる第２端子と、
前記操作体を押圧操作前の初期状態に復帰させる弾性部材と、を備えた直管型ＬＥＤランプ用スイッチ装置において、
前記開口部は前記ハウジングの一面において、前記一対の第１端子間とは異なる領域に設けられており、
前記ハウジング内には、前記操作体の押圧操作時に前記操作部が収容される収容部が設けられると共に、
前記操作部の中央部は前記操作部の両端部よりも前記ハウジングの前記一面から離間しており、
前記操作部の側面に前記ソケットと摺動可能な摺動面が設けられており、
前記摺動面が前記ソケットと摺動し前記操作体が押圧操作されることにより、前記第１端子の一方と前記第２端子とが導通すること、を特徴とする直管型ＬＥＤランプ用スイッチ装置。
【請求項２】
前記一対の第１端子の両方の延出方向を含む平面と平行な切断面における前記操作部の断面形状の、前記一対の第１端子の両方の中心軸を通る方向の幅が、前記両端部側よりも前記中央部側が幅狭となるように形成されると共に、
前記断面形状の前記中央部を挟んで一方の外形と他方の外形に前記摺動面が設けられていることを特徴とする、請求項１に記載の直管型ＬＥＤランプ用スイッチ装置。
【請求項３】
前記第１端子と第２端子との導通状態を切り替える可動接点と、
前記可動接点を駆動させる駆動部材を具備し、
前記駆動部材は前記一対の第１端子の両方の中心軸を通る平面と交差する方向に延びて設けられていることを特徴とする、請求項２に記載の直管型ＬＥＤランプ用スイッチ装置。
【請求項４】
前記駆動部材は前記操作体と一体となっていることを特徴とする、請求項３に記載の直管型ＬＥＤランプ用スイッチ装置。
【請求項５】
前記ハウジングには前記駆動部材が挿通される切り欠き部が設けられており、
前記操作体の押圧操作に伴って、前記切り欠き部の一部が露出するのを防ぐ目隠し部材が設けられていることを特徴とする、請求項３または請求項４のいずれかに記載の直管型ＬＥＤランプ用スイッチ装置。
【請求項６】
複数のＬＥＤと、前記複数のＬＥＤを発光させる駆動回路と、前記複数のＬＥＤ及び前記駆動回路を収納する筒状のランプ本体とを具備し、請求項１から請求項５のいずれかに記載の直管型ＬＥＤランプ用スイッチ装置を前記ランプ本体の端部に設けたことを特徴とする直管型ＬＥＤランプ。
【考案の詳細な説明】
【技術分野】
【０００１】
本考案は、灯器具に取り付け可能な直管型ＬＥＤランプ用スイッチ装置及びそれを用いた直管型ＬＥＤランプに関する。
【背景技術】
【０００２】
近年、光源に発光ダイオード（Ｌｉｇｈｔ  Ｅｍｉｔｔｉｎｇ  Ｄｉｏｄｅ：以降ＬＥＤと記載する）を用いるＬＥＤランプが普及している。ＬＥＤランプにおいては、従来型の照明器具と比較して、消費電力や二酸化炭素の排出量を大幅に低減できると共に、製品寿命も大幅に延ばすことができる。この様なＬＥＤランプにおいて、現在、従来型の蛍光灯を代替する照明器具として直管型ＬＥＤランプが注目されている。
【０００３】
この様な直管型ＬＥＤランプにおいては、蛍光灯器具に直管型ＬＥＤランプを取り付けるとき、または蛍光灯器具から直管型ＬＥＤランプを取り外すときに、誤って口金ピンに接触すると感電する虞がある。
この、蛍光灯器具への取り付け，取り外し作業時の感電を回避し、安全性を確保するための感電防止機能を有する直管型ＬＥＤランプが特許文献１に提案されている。
【０００４】
特許文献１に記載されている直管型ＬＥＤランプ９０１は、図１２に示す様に、突出する一対の口金ピン９４１、口金ピン９５１がそれぞれ設けられた口金９０４、口金９０５が両端に配置され、一対の口金ピン９４１、口金ピン９５１間の中央部に、弾性付勢されたスイッチピン９１１、スイッチピン９２１がそれぞれ配置されている。このスイッチピン９１１、スイッチピン９２１を口金９０４、口金９０５から外側に向けて突出させておき、直管型ＬＥＤランプ９０１が蛍光灯器具に取り付けられると、スイッチピン９１１、スイッチピン９２１が押し込まれる。この動作により、口金ピン９４１、口金ピン９５１が図示しない口金９０４、口金９０５の内部にある端子と接続され、口金ピン９４１、口金ピン９５１から直管型ＬＥＤランプへ給電される構造となっている。
【０００５】
特許文献１の直管型ＬＥＤランプ９０１は、この様な構造としたので、蛍光灯器具に直管型ＬＥＤランプを取り付け、或いは、取り外す時に、スイッチピン９１１、スイッチピン９２１を蛍光灯器具で押し込まないと、直管型ＬＥＤランプには給電されないので、誤って口金ピンに接触しても感電する事が防止でき、当該作業時における安全性を確保する事ができる。
【先行技術文献】
【特許文献】
【０００６】
【特許文献１】特開２０１０−１９２２２９号公報
【考案の概要】
【考案が解決しようとする課題】
【０００７】
ところで、蛍光灯器具には直管型ＬＥＤランプを取り付けるためのソケットが設けられている。ソケットには様々な種類があるが、代表的なソケットとして突合せ型と挟み込み型がある。
【０００８】
突合せ型のソケットでは、両端のソケットがそれぞれ内方に付勢されており、直管型ＬＥＤランプを突合せ型のソケットに取り付ける場合は、ソケットの付勢力に抗しながら、一方の口金で一方のソケットを押し込む。そして、一方の口金で一方のソケットを押し込みながら、一方側の口金ピンを一方のソケットに差し込み、他方側の口金ピンを他方のソケットに差し込む。このように、一方側の口金ピンと他方側の口金ピンをソケットに差し込む事により、取り付け作業が終了する。
【０００９】
挟み込み型のソケットでは、直管型ＬＥＤランプの両端の口金に設けられた一対の口金ピンを、直管型ＬＥＤランプの挿入方向（口金ピンの突出方向と交差する方向）に設けられた、ソケットの中央部に位置するスリットに差し込む。
この状態で約９０度回転させると、両端に設けられた口金ピンがソケット内の電極に接触した状態で固定される。
【００１０】
代表的なソケットのうち、突合せ型のソケットに特許文献１の直管型ＬＥＤランプ９０１を取り付ける場合には、最初に一方側の口金ピン９４１を一方のソケットに取り付ける。
一方側の口金ピン９４１を一方のソケットに取り付けると、一方側の２つの口金ピン９４１の間に設けられ、付勢されたスイッチピン９１１は、ソケットにより付勢力に抗して押下され、口金ピン９４１からの給電が可能となる。次に、他方側の口金ピン９５１を他方のソケットに取り付ける。他方側の口金ピン９５１を他方のソケットに取り付けると、他方側の２つの口金ピン９５１の間に設けられ、付勢されたスイッチピン９２１は、ソケットにより付勢力に抗して押下され、口金ピン９５１からの給電が可能となる。よって、直管型ＬＥＤランプ９０１は、双方のソケットに取り付けられた状態で双方のスイッチピン９１１、９２１が押下されているので、直管型ＬＥＤランプ９０１は給電可能となる。
上記の様に、特許文献１の直管型ＬＥＤランプ９０１は、突合せ型のソケットには容易に取り付けるが事ができる。
【００１１】
一方で、特許文献１の直管型ＬＥＤランプ９０１を挟み込み型のソケットに取り付ける場合、ソケットに設けられたスリットの幅がスイッチピン９１１またはスイッチピン９２１の直径より狭いときには、スイッチピン９１１がソケットに接触してしまう。このため、挟み込み型のソケットのスリットの幅がスイッチピン９１１またはスイッチピン９２１の直径より狭いときには、直管型ＬＥＤランプ９０１を挟み込み型のソケットに取り付ける事は困難である。
また、挟み込み型のソケットに設けられたスリットの幅がスイッチピン９１１またはスイッチピン９２１の直径よりも広いときには、スイッチピン９１１またはスイッチピン９２１がスリットに入り込む。従って、スリットの幅が広い挟み込み型のソケットでは、直管型ＬＥＤランプ９０１を容易に取り付ける事ができる。しかし、スイッチピン９１１またはスイッチピン９２１はスリットに入り込んでいるため、スイッチピン９１１及びスイッチピン９２１は押下されないので、直管型ＬＥＤランプ９０１に給電されないという不都合が生じる。
【００１２】
本考案はこの様な実情に鑑みてなされたものであり、突合せタイプ及び挟み込みタイプのいずれの灯器具に対しても支障なく使用できる直管型ＬＥＤランプ用スイッチ装置及びそれを用いた直管型ＬＥＤランプを提供する事を目的とする。
【課題を解決するための手段】
【００１３】
請求項１に記載の直管型ＬＥＤランプ用スイッチ装置は、開口部を有するハウジングと、
前記ハウジングの一面から一方向に突出すると共に灯器具のソケットに取り付けられる一対の第１端子と、前記開口部から前記一方向に突出すると共に前記ハウジング内への押圧操作を受け付け可能な操作部を有する操作体と、前記第１端子との導通状態が切り替えられる第２端子と、前記操作体を押圧操作前の初期状態に復帰させる弾性部材と、を備えた直管型ＬＥＤランプ用スイッチ装置において、
前記開口部は前記ハウジングの一面において、前記一対の第１端子間とは異なる領域に設けられており、前記ハウジング内には、前記操作体の押圧操作時に前記操作部が収容される収容部が設けられると共に、前記操作部の中央部は前記操作部の両端部よりも前記ハウジングの前記一面から離間しており、前記操作部の側面に前記ソケットと摺動可能な摺動面が設けられており、前記摺動面が前記ソケットと摺動し前記操作体が押圧操作される事より、前記第１端子の一方と前記第２端子とが導通する事を特徴とする。
【００１４】
請求項２に記載の直管型ＬＥＤランプ用スイッチ装置は、前記一対の第１端子の両方の延出方向を含む平面と平行な切断面における前記操作部の断面形状の、前記一対の第１端子の両方の中心軸を通る方向の幅が、前記両端部側よりも前記中央部側が幅狭となる様に形成されると共に、前記断面形状の前記中央部を挟んで一方の外形と他方の外形に前記摺動面が設けられている事を特徴とする。
【００１５】
請求項３に記載の直管型ＬＥＤランプ用スイッチ装置は、前記第１端子と第２端子との導通状態を切り替える可動接点と、前記可動接点を駆動させる駆動部材を具備し、前記駆動部材は前記一対の第１端子の両方の中心軸を通る平面と交差する方向に延びて設けられている事を特徴とする。
【００１６】
請求項４に記載の直管型ＬＥＤランプ用スイッチ装置は、前記駆動部材は前記操作体と一体となっている事を特徴とする。
【００１７】
請求項５に記載の直管型ＬＥＤランプ用スイッチ装置は、前記ハウジングには前記駆動部材が挿通される切り欠き部が設けられており、前記操作体の押圧操作に伴って、前記切り欠き部の一部が露出するのを防ぐ目隠し部材が設けられている事を特徴とする。
【００１８】
請求項６に記載の直管型ＬＥＤランプは、複数のＬＥＤと、前記複数のＬＥＤを発光させる駆動回路と、前記複数のＬＥＤ及び前記駆動回路を収納する筒状のランプ本体とを具備し、請求項１から請求項５のいずれかに記載の直管型ＬＥＤランプ用スイッチ装置を前記ランプ本体の端部に設けた事を特徴とする。
【考案の効果】
【００１９】
請求項１の考案によれば、操作部の両端部よりも操作部の中央部の方が、ハウジングの一面から離間しており、操作部の側面にはソケットと摺動可能な摺動面が設けられているので、挟み込み型のソケットにハウジングを挿入する時に、操作部の摺動面がソケットと摺動する事により、突出した中央部がソケットにより押下され、支障なく組み込む事ができ、操作部が押下される事により、第１端子と第２端子が導通し、灯器具からの給電が可能な状態となる。また、操作部は一対の第１端子間とは異なる領域に設けられた開口部から突出しているので、操作部が挟み込み型のソケットに設けられたスリットに入り込む事がない。よって、突合せ型及び挟み込み型のいずれの灯器具に対しても支障なく使用できる、という効果を奏する。これらにより、突合せタイプ及び挟み込みタイプのいずれの灯器具に対しても支障なく使用できる直管型ＬＥＤランプ用スイッチ装置を提供できる。
【００２０】
請求項２の考案によれば、一対の第１端子の両方の延出方向を含んだ平面と平行な切断面における操作部の断面形状の、一対の第１端子の両方の中心軸を通る方向の幅が、両端部側よりも中央部側が幅狭となる様に形成されると共に、断面形状の中央部を挟んで一方の外形と他方の外形に摺動面が設けられている。
このため、直管型ＬＥＤランプ用スイッチ装置を挟み込み型のソケットに取り付ける時には、はじめに操作部の摺動面の端部側がソケットと当接し、ソケットに挿入するにつれてソケットと摺動面の当接部位が中央部側へと移動していき、これにより操作部がスムーズに押圧され、挟み込み型のソケットへの取り付けが容易となる、という効果を奏する。
また、操作部の中央部を挟んで両側に摺動面が設けられているので、一対の第１端子のどちらの方向からでも挟み込み型のソケットに取り付ける事ができ、取り付け作業がより容易となる、という効果を奏する。
【００２１】
請求項３の考案によれば、第１端子と第２端子の導通状態を切り替える可動接点を駆動する駆動部材が、一対の第１端子のそれぞれの中心軸を通る平面と交差する方向に延びて設けられているので、ハウジング内の空いているスペースを有効に活用する事ができる、という効果を奏する。
【００２２】
請求項４の考案によれば、駆動部材と操作体を一体としたので、部品点数が削減でき、組み立てが容易となる。さらに駆動部材の動作が安定するので、接点を確実に切り替える事ができる、という効果を奏する。
【００２３】
請求項５の考案では、ハウジングに、駆動部材が挿通される切り欠き部が設けられ、操作体の押圧操作に伴って、切り欠き部の一部が露出するのを防ぐ目隠し部材が設けられている。このように、切り欠き部と目隠し部材を設ける事により、駆動部材の移動量を大きくする事ができ、安定したスイッチ動作が可能となると共に、操作体が押下された際にハウジングに設けられた切り欠き部が露出する事を回避できる。これにより、異物が切り欠き部からハウジング内に侵入するのを防ぐ事ができるので、スイッチ動作が安定しながら、可能異物の侵入によって生じる接点不良等の不具合を抑える事ができる、という効果を奏する。
【００２４】
請求項６の考案によれば、突合せ型及び挟み込み型のいずれの蛍光灯器具に対しても支障なく使用できる直管型ＬＥＤランプ用スイッチ装置を用いたので、突合せ型及び挟み込み型のいずれの蛍光灯器具に対しても支障なく使用できる直管型ＬＥＤランプが提供できる。
【００２５】
以上により、本考案によれば、突合せタイプ及び挟み込みタイプのいずれの灯器具に対しても支障なく使用できる直管型ＬＥＤランプ用スイッチ装置、及びそれを用いた直管型ＬＥＤランプを提供する事ができる。
【図面の簡単な説明】
【００２６】
【図１】本考案の実施の形態に係るスイッチ装置の外観を説明する外観図である。
【図２】本実施形態のスイッチ装置の外観を説明する斜視図である。
【図３】本実施形態に係るスイッチ装置の構成部品を示す分解斜視図である。
【図４】本実施形態に係るスイッチ装置のハウジングを後方下方側から見た斜視図である。
【図５】本実施形態に係るスイッチ装置の操作体ユニットを説明する斜視図である。
【図６】操作体の状態による第１端子と第２端子の導通状態の変化を説明する、スイッチ装置を後方上方側から見た斜視図である。
【図７】本実施形態のスイッチ装置を図１のＡ−Ａ位置で切断したときの斜視図である。
【図８】蛍光灯器具のソケットを示す外観斜視図である。
【図９】挟み込み型ソケットへの本実施形態に係るスイッチ装置の取り付け方法を示す模式図である。
【図１０】スイッチ装置をソケットに差し込む時の操作体の挙動を示す模式図である。
【図１１】本考案の実施の形態に係る直管型ＬＥＤランプの構造を説明する外観斜視図である。
【図１２】従来例の直管型ＬＥＤランプ用スイッチ装置を説明する図である。
【考案を実施するための形態】
【００２７】
以下、本考案の実施形態について添付図面を参照して詳細に説明する。本考案の実施形態に係る直管型ＬＥＤランプ用スイッチ装置（以下、単に「スイッチ装置１００」という）は、直管型ＬＥＤランプの端部に設けられ、直管型ＬＥＤランプ内に実装される、例えばＡＣ／ＤＣコンバータなどの、駆動回路に対する通電状態を切り替えるものである。
【００２８】
まず始めに、図１及び図２を参照して、本実施形態におけるスイッチ装置１００の外観構造を説明する。図１は本考案の実施の形態に係るスイッチ装置１００の外観を説明する図で、（ａ）は平面図、（ｂ）は立面図である。図２は本実施形態のスイッチ装置１００の外観を説明する斜視図である。
【００２９】
本実施形態のスイッチ装置１００は、図１及び図２に示す様に、ハウジング１の上面（一面）から、一対の第１端子３及び操作体２が上方（一方向）に突出する。また、ハウジング１の上面の、一対の第１端子３とは異なる、ハウジング１の外周側の領域には、操作体２がハウジング１から上方（一方向）に突出しており、操作体２が押下されると第１端子３と後述する第２端子４が導通して直管型ＬＥＤランプ内の駆動回路に通電され、操作体２が、図１及び図２に示す、ハウジング１の上面から突出した状態（初期状態）にある時は第１端子３と第２端子４は導通せず、誤って第１端子３に接触した場合の感電事故を回避できる。
【００３０】
また、ハウジング１の上面の外縁側には２つの凹部１ｅが設けられ、凹部１ｅの底面には貫通孔１ｆがそれぞれ設けられる。貫通孔１ｆは本実施形態のスイッチ装置１００を図示しない直管型ＬＥＤランプに固定する、ねじ等の固定部材の取り付け孔である。
【００３１】
次に、図３から図５を参照に、スイッチ装置１００の各構成部品について説明する。図３は、本実施形態に係るスイッチ装置１００の構成部品を示す分解斜視図である。図４は、本実施形態に係るスイッチ装置１００のハウジング１を説明する、ハウジング１を後方下方側から見た斜視図である。図５は、本実施形態に係るスイッチ装置の操作体ユニット５１を説明する斜視図で、（ａ）は操作体ユニット５１を後方下方側から見た斜視図で、（ｂ）は操作体ユニット５１の構成部品を説明する後方上方側より見た分解斜視図である。
【００３２】
ハウジング１は、成形材等の絶縁材料で下方側に開口した略円筒形状に形成され、略円形の上面には、第１端子３が固設される一対の端子保持孔１ａが、略円形の上面を略２等分する線分上に間隔をあけて設けられている。また、ハウジング１の上面には、第１端子３が固設される一対の端子保持孔１ａ間とは異なる領域（図３ではＹ２方向寄りの位置）に、操作体２が挿通される開口部１ｂが設けられている。開口部１ｂは操作体２の外形と略同一の形状に開口されており、一対の端子保持孔１ａ側に位置する一辺が、一対の端子保持孔１ａの中心軸を通る平面と平行な直線形状で、直線状の一辺と対向する辺が、ハウジング１の外周と同心円の円弧形状となっている。
開口部１ｂの下方には、押圧操作された時に操作体２が収納される収容部１ｃが形成され、直線状の一辺に繋がる収容部１ｃの側壁には、後述する操作体２の駆動部２ｃが挿通される切り欠き部１ｄが設けられている。ハウジング１の外周面の、開口部１ｂの両端部付近の位置には、ハウジング１の上面からの中央部分近傍の高さまでの一対の凹部１ｅが設けられており、凹部１ｅの底面には、スイッチ装置１００を図示しない直管型ＬＥＤランプに固定する、ねじ等の固定部材が挿通される貫通孔１ｆが設けられている。
【００３３】
ハウジング１の下方側には、図４に示す様に、収容部１ｃの側壁に設けられた切り欠き部１ｄの奥側に、収容部１ｃが延設された延設収容部１ｈが、一対の端子保持孔１ａの中心軸を通る平面と交差する方向に設けられ、延設収容部１ｈには後述する操作体２の駆動部２ｃが押下可能に収容される。また、延設収容部１ｈの側壁には、後述する第２端子４及び端子リード５と係合する窪み形状が適時設けられ、延設収容部１ｈの側壁の外側に繋がる、端子保持孔１ａを有する面の下方端面は周囲より一段高い面となっており、端子リード５の上面と当接するリード天蓋部１ｇとなる。
【００３４】
ホルダ６は、図３に示す様に、平面視にて略扇状に形成され、略扇状の部分円弧形状部の外径は、ハウジング１の円筒形状の内径に対応する寸法に形成されており、部分円弧形状部の略中央位置付近に角柱状の操作体ガイド６ａが突設される。略扇状の直線状の辺には、ハウジング１の一対の端子保持孔１ａと対応する位置に一対の端子ねじ穴６ｄをそれぞれ有する一対の円柱状の突起が設けられ、一対のリード台座部６ｃとなる。一対のリード台座部６ｃの間には、一対の端子ねじ穴６ｄの中心軸を通る平面から、略扇状の部分円弧形状部から遠ざかる方向に離れた位置に、一対の端子ねじ穴６ｄの中心軸を通る平面と平行な壁部が設けられ、この壁部と一対のリード台座部６ｃ、及び操作体ガイド６ａで囲まれる領域が、後述する操作体２の駆動部２ｃを押下動作可能に収容する操作体収容部６ｇとなる。
略扇型の平面上の、一対のリード台座部６ｃと操作体ガイド６ａの中間位置には、後述する第２端子４が挿通される一対の端子穴６ｂが離間して設けられている。また、操作体ガイド６ａの近傍には、後述する２つの弾性部材８を保持する一対のポスト６ｅが、操作体ガイド６ａの側面から離間して立設される。なお、略扇型の平面部には、ハウジング１の２つの貫通孔１ｆに対応する位置に、ねじ等の固定部材が挿通される一対のねじ穴６ｆが設けられている。
【００３５】
操作体ユニット５１は、押圧操作される事により第１端子３と第２端子４を導通させ、さらに、押圧操作時にハウジング１の切り欠き部１ｄが露出する事を防ぐユニットで、図５に示す様に、操作体２に可動接点７，接点ホルダ１０、コイルばね１１、及び目隠し部材９が組み込まれたユニットである。
【００３６】
操作体２は、ハウジング１の収容部１ｃに収容されて押圧操作により上下方向に移動する操作部２ａと、操作部２ａの中央下方から操作部２ａに対して垂直に延出した略直方体形状の駆動部２ｃ（駆動部材）を有する。
【００３７】
操作部２ａは、上方視にて、部分円弧の両端部を直線でつないだ略弓状の外形を有し、操作体ユニット５１がスイッチ装置１００に組み込まれた時に、略弓状の直線部を形成する面は一対の第１端子３の両方の延出方向を含んだ平面と平行となり、略弓状の部分円弧形状は、ハウジング１の外周と同心円の円弧となる。また、操作部２ａは正面視にて下方側は略長方形状で、上方側は略三角形状となっており、上方側の略三角形状の頂部が中央部２ｅとなり、中央部２ｅの両側の略三角形の斜面部はそれぞれ摺動面２ｄとなり、２つの摺動面の中央部２ｅから遠い側の部分がそれぞれ端部２ｆとなる。摺動面２ｄは、蛍光灯器具に設けられているソケットと摺動可能に設けられている。
なお、操作体ユニット５１がスイッチ装置１００に組み込まれた状態でハウジング１を平面視した場合に、一対の第１端子３間の中心位置から操作部２ａの中央部２ｅまでの距離が、この中心位置から第１端子３までの距離より大きくなる様に、開口部１ｂはハウジング１の上面に形成されている（図１参照）。
【００３８】
また、操作部２ａの下面には略矩形状のガイド孔２ｂが設けられ、操作部２ａの略弓形状の直線部を形成する面には、下方が水平部で、水平部の略中央から上方に垂直な直線部を有する略Ｔ字状に窪んだシャッター収容部２ｇが設けられる。ガイド孔２ｂはホルダ６の操作体ガイド６ａに摺動可能に支持される。シャッター収容部２ｇには後述する目隠し部材９が摺動可能に収容され、シャッター収容部２ｇの下方の水平部の上方の壁はシャッター当接部２ｈとなる。
【００３９】
駆動部２ｃは、操作部２ａのシャッター収容部２ｇから側方に突出する様に設けられ、内部が中空である略直方体形状で、延出方向の端面に後述する可動接点７を組み込む端面開口部２ｉが設けられ、水平方向の２つの側面部には、可動接点７が露出する側面開口部２ｊがそれぞれ設けられる。このように、操作体２に駆動部２ｃと操作部２ａが一体で形成されている事により、部品点数が削減でき、組み立てが容易となるとともに、駆動部２ｃの動作が安定するので、スイッチ装置１００の導通動作が確実になる。
【００４０】
目隠し部材９は金属板又は樹脂板等の板材で、直線状の本体部９ａの両端側から本体部９ａに垂直で下方に延出する２つの腕部９ｂを有する略Ｕ字状に形成され、２つの腕部９ｂの先端側は幅が外方に拡大したストッパー部９ｃとなっている。
【００４１】
可動接点７は導電性を有する金属部材で形成され、略板状で中央部分が凹形状となる様に折り曲げられ、凹形状部の両側に一対の平面部が形成されている。平面部の略中央には、半球状に突出する接点部７ａが設けられており、また、凹形状部の略中央には貫通穴が形成されている。
【００４２】
接点ホルダ１０は、絶縁性の樹脂材料等で略直方体形状に成型され、略中央に凹部が形成されている。凹部の略中央には略円柱状のボスが垂直に形成されており、凹部の両側部の裏面側にはコイルばね１１の端部が収容される一対のばね保持孔１０ａが設けられている。
【００４３】
接点ホルダ１０の凹部に可動接点７の凹部を当接させて取り付け、接点ホルダ１０の凹部に設けられたボスを可動接点７の凹部に設けられた貫通穴に挿通させ、可動接点７の貫通穴から突出したボスの先端部を変形させる事により、可動接点７が接点ホルダ１０に固定される。
【００４４】
２つの接点ホルダ１０を、ばね保持孔１０ａが設けられている面が対向する様に配置し、対向する一対のばね保持孔１０ａにコイルばね１１をそれぞれ挿入する。この状態で、可動接点７が固定された２つの接点ホルダ１０を操作体２の駆動部２ｃの中空部分に組み込むと、２つの可動接点７が、コイルばね１１により側面開口部２ｊから飛び出す方向に付勢されながら、側面開口部２ｊに露出する。
【００４５】
第１端子３は導電性を有する金属材で形成され、図３に示す様に、略円柱状の口金部３ａの下方に、口金部３ａより径が大きい台座部３ｂを有し、台座部３ｂの下端面にはねじ穴が設けられる。
【００４６】
端子リード５は導電性を有する金属板で形成され、略円形で中央に貫通孔を有する接続部５ｂと、この接続部５ｂから下方に延伸した略矩形状の接点部５ａを有する。
【００４７】
第２端子４は、導電性を有する金属板で形成され、略矩形状の接点部４ａの下方に、幅が拡大された台座部４ｂを有し、台座部４ｂの下方に幅が縮小され下端部付近に貫通孔を有する接続リード部４ｃを有する。
【００４８】
弾性部材８は、ばね用ステンレス鋼線等のばね材で形成された圧縮ばねで、ホルダ６のポスト６ｅに取り付けられ、操作体２をハウジング１から突出する方向に付勢する。
【００４９】
一対の第１端子３はハウジング１の端子保持孔１ａに保持される。また、一対の第２端子４は接続リード部４ｃがホルダ６の端子穴６ｂを貫通してホルダ６の下方に突出し、台座部が端子穴６ｂに保持される。一対の端子リード５は、接続部５ｂがホルダ６のリード台座部６ｃとハウジング１のリード天蓋部１ｇ（図４参照）に挟持される様に取り付けられ、端子保持ねじ１２にて第１端子３と接続部５ｂが当接する様に固定される。これにより第１端子３と端子リード５が電気的に導通するとともに、ハウジング１にホルダ６が保持される。
【００５０】
第２端子４の接点部４ａの上辺、及び端子リード５の接点部５ａの上辺はハウジング１の延設収容部１ｈ（図４参照）の側壁に設けられた窪み形状に保持され、一対の第２端子４の接点部４ａと一対の端子リード５の接点部５ａは同一面上に間隔を有して平行に保持される。
【００５１】
ハウジング１の収容部１ｃには操作体２の操作部２ａ（図５参照）が収容され、操作体２の駆動部２ｃ（図５参照）は収容部１ｃの側壁に設けられた延設収容部１ｈ（図４参照）とホルダ６の操作体収容部６ｇにより構成される空間に収容される。
【００５２】
操作体２はホルダ６の２つのポスト６ｅにそれぞれ組み込まれた２つの弾性部材８により上方に付勢され、常時は、操作体２がハウジング１から最も突出した状態（初期状態）で停止している。
【００５３】
操作体２の駆動部２ｃに組み込まれた可動接点７（図５参照）は、第２端子４の接点部４ａ及び端子リード５の接点部５ａの双方に当接可能な位置に保持されるが、操作体２がハウジング１から最も突出した状態（初期状態）では可動接点７は第２端子４の接点部４ａ及び端子リード５の接点部５ａよりも上方に位置し、第２端子４の接点部４ａ及び端子リード５の接点部５ａとは当接しない。
【００５４】
次に、図６を参照して、本実施形態に係るスイッチ装置１００の第１端子３と第２端子４の導通状態の変化を説明する。図６は操作体２の状態による第１端子３と第２端子４の導通状態の変化を説明する、スイッチ装置１００を後方上方側から見た斜視図で、（ａ）は操作体２が初期状態にある状態、（ｂ）は操作体２が押圧操作により押下された状態である。なお、図６では、理解を容易とする為に、ハウジング１及び第１端子３を想像線で記載すると共に、一対の第１端子３のうち図中手前側の第１端子３の記載を省略している。
【００５５】
図６に想像線で記載した第１端子３（但し、図中奥側の１つのみを記載）は端子保持ねじ１２にて端子リード５に接続される。一対の端子リード５と一対の第２端子４はハウジング１の延設収容部１ｈ（図４参照）の側壁に設けられた窪み形状とホルダ６（図３参照）により保持され、端子リード５の接点部５ａと第２端子４の接点部４ａは、長手側が上下方向となる様に、離間して平行に整列する。
【００５６】
弾性部材８の付勢により操作体２がハウジング１から最も突出した状態、すなわち初期状態となっている時は、図６（ａ）に示す様に、操作体２は最も上方に位置し、これにより操作体２の駆動部２ｃに組み込まれた可動接点７は端子リード５の接点部５ａ及び第２端子４の接点部４ａより上方に位置し、端子リード５と第２端子４は導通しておらず、第１端子３と第２端子４も導通していない。
【００５７】
押圧操作により操作体２が押下されると、操作体２の駆動部２ｃも下方に移動し、駆動部２ｃに組み込まれた可動接点７の接点部７ａが第２端子４の接点部４ａ及び端子リード５の接点部５ａの両方に接触し、端子リード５と第２端子４は導通し、これにより、第１端子３と第２端子４は導通する。
【００５８】
次に、操作体２が押圧操作されたときの目隠し部材９の挙動を、図７を参照して、説明する。図７は本実施形態のスイッチ装置１００を図１のＡ−Ａ位置で切断した場合の斜視図で、（ａ）は操作体２が初期位置にある状態、（ｂ）は操作体２が押下された状態、（ｃ）は操作体２が押下された状態で目隠し部材９を適用しなかった場合である。
【００５９】
操作体２がハウジング１から最も突出した状態、すなわち初期状態にある時、図７（ａ）に示す様に、操作体２の駆動部２ｃの上面がハウジング１の延設収容部１ｈの上面に当接している。なお、ハウジング１の延設収容部１ｈの上面は切り欠き部１ｄの開口の上辺と同じ高さである。
【００６０】
操作体２が押圧操作により押下されると、図７（ｂ）に示す様に、操作体２の駆動部２ｃの下面がホルダ６の操作体収容部６ｇの底面に当接する。この時、目隠し部材９を適用しないと、図７（ｃ）に示す様に、操作体２の摺動面２ｄの奥に、ハウジング１の収容部１ｃに設けた切り欠き部１ｄの一部が露出する。このため目隠し部材９を適用しない場合には、可動接点７が収容され端子リード５の接点部５ａ及び第２端子４の接点部４ａが露出している、ハウジング１の延設収容部１ｈとホルダの操作体収容部６ｇで構成される空間に、外部からゴミ等が侵入する事を回避できず、接点不良等の不具合が生じる虞がある。
【００６１】
操作体２が押下された時に操作体２の摺動面２ｄの奥にハウジング１の切り欠き部１ｄが露出しない様にするには、押圧操作による操作体２の移動量を小さくする方法が考えられる。しかし、本実施形態に係るスイッチ装置１００では商用電源の開閉を行う為、第１端子３と第２端子４の導通状態を切り替える可動接点７の移動量をできる限り大きくする必要があり、操作体２の移動量を小さくする方法は不適当である。
【００６２】
本実施形態に係るスイッチ装置１００では、操作体２にシャッター収容部２ｇ（図５参照）を設け、操作部２ａとハウジング１の切り欠き部１ｄの間に、目隠し部材９を配置した。
【００６３】
目隠し部材９は、操作体２がハウジング１から最も突出する状態、すなわち初期状態では、図７（ａ）に示す様に、目隠し部材９の本体部９ａ（図５（ｂ）参照）の下面が駆動部２ｃの上面と当接し、操作体２と共にハウジング１から突出する。
【００６４】
押圧操作により操作体２が押下されると、目隠し部材９のストッパー部９ｃ（図５（ｂ）参照）の下面がホルダ６の操作体収容部６ｇ（図３参照）の底面と当接するので、目隠し部材９の移動量は押圧操作による操作体２の移動量より少なくなり、目隠し部材９は切り欠き部１ｄより下方までは移動しない。この様に、目隠し部材９を設ける事により、図７（ｂ）に示す様に、操作体２の摺動面２ｄの奥に切り欠き部１ｄの一部が露出する位置まで操作体２が移動しても、目隠し部材９が切り欠き部１ｄを塞ぐ為、ハウジング１の延設収容部１ｈとホルダ６の操作体収容部６ｇで構成される空間への、外部からのゴミ等の侵入が防止でき、ゴミ等によって生じる接点不良等の不具合を抑える事ができる。
【００６５】
次に、図８から図１０を参照して、本実施形態に係るスイッチ装置１００が取り付けられた直管型ＬＥＤランプを蛍光灯器具に取り付けたときのスイッチ装置１００の動作を説明する。図８は蛍光灯器具のソケットを示す外観斜視図で、（ａ）は突合せ型ソケット５１０、（ｂ）は挟み込み型ソケット５００である。図９は挟み込み型ソケット５００への本実施形態に係るスイッチ装置１００の取り付け方法を示す模式図で、（ａ）はスイッチ装置１００のソケットに対する取り付け姿勢を示す模式図、（ｂ）はスイッチ装置１００の取り付け作業を示す模式図である。図１０はスイッチ装置１００を挟み込み型ソケット５００に差し込む時の操作体２の挙動を示す模式図で、（ａ）は操作体２が挟み込み型ソケット５００に接触した時の状態、（ｂ）は操作体２が挟み込み型ソケット５００に摺動しながら移動させられている状態、（ｃ）はスイッチ装置１００が最終位置まで差し込まれ回転させられる前の状態である。
【００６６】
直管型の蛍光灯器具の代表的なソケットは、図８（ａ）に示す、突合せ型ソケット５１０と、図８（ｂ）に示す、挟み込み型ソケット５００の２種類があり、これらのソケットが蛍光灯器具の両端にソケット面が対向する様にそれぞれ設けられている。
【００６７】
突合せ型ソケット５１０では突出方向に付勢され押下可能なソケット部５１４のソケット面５１３に口金ピンが差し込まれる２つのソケット孔５１５が設けられて、ソケット孔５１５の奥には図示しない接点が設けられている。
【００６８】
挟み込み型ソケット５００では２つの口金ピンが通過する上下方向に直線状の中央スリット５０１と、２つの口金ピンが回転通過する略リング状の外周スリット５０２が設けられ、外周スリット５０２の奥には図示しない接点が設けられている。
【００６９】
上記のうち、突合せ型ソケット５１０に本実施形態に係るスイッチ装置１００が取り付けられた直管型ＬＥＤランプを取り付ける場合、突合せ型ソケット５１０では両端のソケット部５１４がそれぞれ内方に付勢されているので、直管型ＬＥＤランプが僅かに傾斜した状態で、一方側の口金の口金ピン（第１端子３の口金部３ａ）を一方側のソケット部５１４に差し込みながら口金でソケット部５１４を押し込み、次に、直管型ＬＥＤランプの傾斜を戻して他方側の口金ピンと他方側のソケット部５１４が対向する姿勢とし、他方側の口金ピンを他方側のソケット孔５１５に差し込むと、両端のソケット部５１４がそれぞれ内方に付勢されながら口金ピンをそれぞれ保持し、取り付け作業が終了する。以上の取り付け作業では、口金の口金ピンをソケット部５１４に差し込む事により本実施形態に係るスイッチ装置１００の操作体２がソケット面５１３により押圧操作されるので、第１端子３と第２端子４が導通し直管型ＬＥＤランプに実装された駆動回路への通電が可能となる。
【００７０】
また、突合せ型ソケット５１０から本実施形態に係るスイッチ装置１００が取り付けられた直管型ＬＥＤランプを取り外す場合は、他方側の口金ピンが他方側のソケット孔５１５から抜け出すまで、直管型ＬＥＤランプの一方側の口金で一方側のソケット部５１４を押し込み、のち、直管型ＬＥＤランプを僅かに傾斜させ、一方側の口金ピンを一方側のソケット孔５１５から抜き取る事により取り外し作業が完了する。この時、口金ピンがソケット孔５１５から抜け出すと、本実施形態に係るスイッチ装置１００の操作体２が初期状態に戻り、第１端子３と第２端子４が導通しなくなるので、抜け出した口金ピンに接触しても感電する虞がなく、取り外し作業が安全に行える。
【００７１】
これに対し、挟み込み型ソケット５００に本実施形態に係るスイッチ装置１００が取り付けられた直管型ＬＥＤランプを取り付ける場合は、図９（ａ）に示す様に、直管型ＬＥＤランプの両端に取り付けられたスイッチ装置１００の２つの第１端子３（口金ピン）が挟み込み型ソケット５００の中央スリット５０１の延長線上に整列する様に直管型ＬＥＤランプを保持し、図９（ｂ）に示す様に、直管型ＬＥＤランプを回転させずに挟み込み型ソケット５００に挿入し、中央スリット５０１に２つの第１端子３を通過させる。下方側の第１端子３が中央スリット５０１を抜け出した後に、直管型ＬＥＤランプを約９０度回転させると、２つの第１端子３が外周スリット５０２の中を移動し、２つの第１端子３が図示しない接点に保持され、取り付け作業が終了する。なお、直管型ＬＥＤランプは操作体２が下方に移動する方向に回転させる。
【００７２】
この時、ハウジング１に設けられた開口部１ｂから突出していた操作体２は挟み込み型ソケット５００により押下され、ハウジング１に設けられた収容部１ｃに収容されるが、操作体２は弾性部材８により開口部１ｂから突出する方向に付勢されている。この為、直管型ＬＥＤランプを回転させた時に操作体２が中央スリット５０１上に位置すると、操作体２が中央スリット５０１に入り込み、第１端子３と第２端子４が導通しなくなる虞がある。しかしながら、本実施形態に係るスイッチ装置１００では、開口部を一対の第１端子３間とは異なる領域に設けたので、直管型ＬＥＤランプを回転させても、操作体２が中央スリット５０１に入り込む虞はない。これにより、本実施形態に係るスイッチ装置１００は、挟み込みタイプの灯器具に対しても支障なく使用できる。
【００７３】
この取り付け作業で、直管型ＬＥＤランプを挟み込み型ソケット５００に挿入するときの操作体２の挙動を、図１０を参照に、より詳細に説明する。
【００７４】
挟み込み型ソケット５００に本実施形態に係るスイッチ装置１００が取り付けられた直管型ＬＥＤランプを挿入すると、最初に下方側の第１端子３が中央スリット５０１に入り、のち、図１０（ａ）に示す様に、操作体２の操作部２ａの端部２ｆが挟み込み型ソケット５００のソケット面側の角部と当接する。この時点では、操作体２はハウジング１から最も突出した初期状態にあり、第１端子３と第２端子４は導通していない。
【００７５】
直管型ＬＥＤランプをさらに挿入すると、図１０（ｂ）に示す様に、挟み込み型ソケット５００と操作部２ａは、より大きく重なるが、操作部２ａの断面形状は、一対の第１端子３の両方の中心軸を通る方向の幅（図１０における上下方向の幅）が、両端部２ｆ側よりも先端の中央部２ｅ側が幅狭となる様に形成されているので、挟み込み型ソケット５００の角部の操作部２ａへの当接位置は摺動面２ｄ上を摺動しながら中央部２ｅに近づき、これに伴い操作体２はハウジング１側に押下され、やがて、第１端子３と第２端子４は導通する。
【００７６】
直管型ＬＥＤランプをより挿入すると、挟み込み型ソケット５００の角部は操作部２ａの側面に設けられた摺動面２ｄに当接しながら摺動し、やがて挟み込み型ソケット５００の角部は操作部２ａの中央部２ｅと当接する。初期状態では操作部２ａの中央部２ｅは操作部２ａの両端部２ｆよりもハウジング１の一面から離間しているので、挟み込み型ソケット５００の角部が中央部２ｅと当接すると、操作体２はハウジング１側にさらに押下される。やがて、挟み込み型ソケット５００のソケット面５０３が中央部２ｅと当接すると、操作体２は最大に押下され、直管型ＬＥＤランプをさらに挿入しても、操作体２はそれ以上は押下されず、最終的には、図１０（ｃ）に示す様に、２つの第１端子３が外周スリット５０２に入るまで挿入される。この状態では第１端子３と第２端子４は導通している。
【００７７】
挟み込み型ソケット５００から本実施形態に係るスイッチ装置１００が取り付けられた直管型ＬＥＤランプを取り外す場合は、２つの第１端子３が挟み込み型ソケット５００の中央スリット５０１中に位置するまで直管型ＬＥＤランプを回転させ、のち、直管型ＬＥＤランプを中央スリット５０１の方向に引き出し、下方の第１端子３が中央スリット５０１から抜け出すと、取り外し作業が完了する。この時、直管型ＬＥＤランプを２つの第１端子３が挟み込み型ソケット５００の中央スリット５０１中に位置するまで回転させると、２つの第１端子３は図示しない接点と接触しなくなるので、誤って口金に接触しても感電する虞はなく、取り外し作業は安全に行える。
【００７８】
上記の様に、本実施形態に係るスイッチ装置１００では、ハウジング１の一面の、一対の第１端子３間とは異なる領域に設けた開口部１ｂに繋がる収容部１ｃに、操作体２が押圧操作可能に収容され、操作部２ａの中央部２ｅは操作部２ａの両端部２ｆよりもハウジング１の一面から離間しており、操作部２ａの側面にソケットと摺動可能な摺動面２ｄが設けられ、摺動面２ｄがソケットと摺動し操作体２が押圧操作される事により、第１端子３と第２端子４とが導通する構成とした。これにより、本実施形態に係るスイッチ装置１００を用いた直管型ＬＥＤランプを挟み込み型のソケットに挿入する時に、操作部２ａの摺動面２ｄがソケットと摺動し、突出した操作体２の中央部２ｅがソケットにより押下されるので、支障なく組み込む事ができ、第１端子３と第２端子４が導通するので、直管型ＬＥＤランプの駆動回路への給電が可能な状態となり、突合せタイプ及び挟み込みタイプのいずれの灯器具に対しても支障なく使用できる直管型ＬＥＤランプ用スイッチ装置が提供できる。
【００７９】
また、本実施形態のスイッチ装置１００では、一対の第１端子３の両方の延出方向を含む平面と平行な切断面における操作部２ａの断面形状の、一対の第１端子３の両方の中心軸を通る方向の幅が、開口部１ｂ側よりも先端の頂部側が幅狭となる様に形成されると共に、断面形状の頂部を挟んで一方の外形と他方の外形に摺動面２ｄが設けられている構成とした。これにより、本実施形態に係るスイッチ装置１００を用いた直管型ＬＥＤランプを挟み込み型のソケットに取り付ける時に、操作部２ａがスムーズに押圧され、挟み込み型のソケットへの取り付けが容易となり、また、操作部２ａの頂部を挟んで両側に摺動面２ｄが設けられているので、一対の第１端子３のどちらの方向からでも挟み込み型のソケットに取り付ける事ができるので、取り付け作業がより容易な直管型ＬＥＤランプ用スイッチ装置が提供できる。
【００８０】
また、本実施形態のスイッチ装置１００では、第１端子３と第２端子４との導通状態を切り替える可動接点７と、可動接点７を駆動させる駆動部２ｃ（駆動部材）を具備し、駆動部２ｃは一対の第１端子３の両方の中心軸を通る平面と交差する方向に延びて設けられている構成とした。これにより、駆動部２ｃが、一対の第１端子３のそれぞれの中心軸を通る平面と交差する方向に延びて設けられているので、ハウジング１内の空いているスペースを有効に活用する事ができる。
【００８１】
また、本実施形態のスイッチ装置１００では、操作体２と駆動部２ｃ（駆動部材）とは一体の構成とした。これにより、部品点数が削減でき駆動部２ｃの動作が安定するので、組み立てが容易で、接点を確実に切り替える事ができるスイッチ装置１００が提供できる。
【００８２】
また、本実施形態のスイッチ装置１００ではハウジング１に駆動部２ｃ（駆動部材）が挿通される切り欠き部１ｄが設けられ、操作体２の押圧操作に伴って切り欠き部１ｄの一部が露出するのを防ぐ目隠し部材９が設けられている構成とした。これにより、駆動部２ｃの移動量を大きくしながら、異物が切り欠き部１ｄからハウジング１内に侵入するのを防ぐ事ができるので、スイッチ動作が安定し、異物の侵入によって生じる接点不良等の不具合を抑える事ができるスイッチ装置１００が提供できる。
【００８３】
なお、上記の実施形態では、操作体２の操作部２ａの上方側の形状は正面視にて略三角形状としたが、操作部２ａの上方側の形状は、一対の第１端子３の両方の延出方向を含む平面と平行な切断面における操作部２ａの断面形状の、一対の第１端子３の両方の中心軸を通る方向の幅が、両端部２ｆ側よりも先端の中央部２ｅ側が幅狭となる様に形成されていればよく、例えば半球状であってもよい。
【００８４】
〔直管型ＬＥＤランプ２００の実施形態〕
次に、図１１を参照して、本実施形態に係るスイッチ装置１００を用いた直管型ＬＥＤランプ２００実施形態を説明する。図１１は実施形態の直管型ＬＥＤランプ２００の構造を説明する外観斜視図である。
【００８５】
実施形態の直管型ＬＥＤランプ２００は筒状のランプ本体１１０の中に、規則的に配列された複数のＬＥＤ１０１が配線基板１０２に実装され、配線基板１０２の下方には図示しない駆動回路が実装されている。また、ランプ本体１１０の両端部には本考案の実施形態に係るスイッチ装置１００がそれぞれ取り付けられ、それぞれのスイッチ装置１００の接続リード部４ｃ（図３参照）が駆動回路と接続される。
【００８６】
本実施形態に係る直管型ＬＥＤランプ２００では、本考案の実施形態に係るスイッチ装置１００を使用したので、突合せタイプ及び挟み込みタイプのいずれの灯器具に対しても支障なく使用できる直管型ＬＥＤランプ２００が提供できる。また、突合せタイプ及び挟み込みタイプのいずれの灯器具においても、取り付け，取り外し作業が安全に行える直管型ＬＥＤランプ２００が提供できる。
【符号の説明】
【００８７】
１      ハウジング
１ａ    端子保持孔
１ｂ    開口部
１ｃ    収容部
１ｄ    切り欠き部
１ｅ    凹部
１ｆ    貫通孔
１ｇ    リード天蓋部
１ｈ    延設収容部
２      操作体
２ａ    操作部
２ｂ    ガイド孔
２ｃ    駆動部
２ｄ    摺動面
２ｅ    中央部
２ｆ    端部
２ｇ    シャッター収容部
２ｈ    シャッター当接部
２ｉ    端面開口部
２ｊ    側面開口部
３      第１端子
３ａ    口金部
３ｂ    台座部
４      第２端子
４ａ    接点部
４ｂ    台座部
４ｃ    接続リード部
５      端子リード
５ａ    接点部
５ｂ    接続部
６      ホルダ
６ａ    操作体ガイド
６ｂ    端子穴
６ｃ    リード台座部
６ｄ    端子ねじ穴
６ｅ    ポスト
６ｆ    ねじ穴
６ｇ    操作体収容部
７      可動接点
７ａ    接点部
８      弾性部材
９      目隠し部材
９ａ    本体部
９ｂ    腕部
９ｃ    ストッパー部
１０      接点ホルダ
１０ａ    ばね保持孔
１１      コイルばね
１２      端子保持ねじ
５１      操作体ユニット
１００      スイッチ装置
１０１      ＬＥＤ
１０２      配線基板
１１０      ランプ本体
２００      直管型ＬＥＤランプ
５００      挟み込み型ソケット
５０１      中央スリット
５０２      外周スリット
５０３      ソケット面
５１０      突合せ型ソケット
５１３      ソケット面
５１４      ソケット部
５１５      ソケット孔
【図１】
0003184246.tif 000003
【図２】
0003184246.tif 000004
【図３】
0003184246.tif 000005
【図４】
0003184246.tif 000006
【図５】
0003184246.tif 000007
【図６】
0003184246.tif 000008
【図７】
0003184246.tif 000009
【図８】
0003184246.tif 000010
【図９】
0003184246.tif 000011
【図１０】
0003184246.tif 000012
【図１１】
0003184246.tif 000013
【図１２】
0003184246.tif 000014